(57)【要約】【課題】ロータ用の支持構造を提供する。【解決手段】産業機械用のロータ支持構造が、開示される。支持構造は、頂部を含む剛性ベース構成要素と、剛性ベース構成要素の頂部の上方に配置されたスライドプレートと、スライドプレートに結合されたロータ用の軸受ハウジングとを含むことができる。軸受ハウジングおよびスライドプレートは、剛性ベース構成要素の上に摺動または移動するように構成することができる。支持構造はまた、軸受ハウジングに結合された複数の保持ブロックを含むことができる。複数の保持ブロックの各々は、複数の保持ブロックの各々を通して配置された可動保持ピンを含むことができる。軸受ハウジングおよびスライドプレートの軸方向移動は、産業機械の動作中にタービンシェルの熱膨張を補償し、かつ／またはロータおよび軸受ハウジングの振動を低減することができる。【選択図】図２
2018091326.tif 000002
【特許請求の範囲】
【請求項１】
ロータ（２０）と、
前記ロータ（２０）の少なくとも一部を囲むシェル（２４）と、
前記シェル（２４）に隣接して配置され、前記ロータ（２０）を受け入れるように構成されたロータ支持構造（１００）とを備え、前記ロータ支持構造（１００）は、
頂部（１０６）を含む剛性ベース構成要素（１０２）と、
前記剛性ベース構成要素（１０２）の前記頂部（１０６）の上方に配置されたスライドプレート（１３２）と、
前記スライドプレート（１３２）に結合された前記ロータ（２０）用の軸受ハウジング（１４８）であって、前記軸受ハウジング（１４８）および前記スライドプレート（１３２）は、前記剛性ベース構成要素（１０２）の前記頂部（１０６）を摺動するように構成される軸受ハウジング（１４８）と、
前記軸受ハウジング（１４８）に結合された複数の保持ブロック（１５６）とを含み、前記複数の保持ブロック（１５６）の各々は、
前記複数の保持ブロック（１５６）の各々を通して配置され、前記軸受ハウジング（１４８）の通路（１５４）に向かって半径方向に延びる可動保持ピン（１６２）を含む、システム（１０）。
【請求項２】
前記ロータ支持構造（１００）が、前記剛性ベース構成要素（１０２）の前記頂部（１０６）の両側（１２０，１２２）に配置され、前記スライドプレート（１３２）と摺動可能に係合する複数のガイド（１３０）をさらに備える、請求項１に記載のシステム（１０）。
【請求項３】
前記ロータ支持構造（１００）の前記スライドプレート（１３２）が、前記スライドプレート（１３２）の両側に沿って形成され、前記複数のガイド（１３０）の少なくとも１つを受け入れて摺動可能に係合するように構成される溝（１４４）をさらに含む、請求項２に記載のシステム（１０）。
【請求項４】
前記剛性ベース構成要素（１０２）の前記頂部（１０６）が、開口（１２８）を含む、請求項１に記載のシステム（１０）。
【請求項５】
前記スライドプレート（１３２）が、前記剛性ベース構成要素（１０２）の前記頂部（１０６）の前記開口（１２８）と少なくとも部分的に位置合わせされた開口部（１４６）を含む、請求項４に記載のシステム（１０）。
【請求項６】
前記ロータ支持構造（１００）の前記軸受ハウジング（１４８）に結合されたガバナハウジング（１６４）をさらに含み、前記ガバナハウジング（１６４）が、前記ロータ支持構造（１００）の前記スライドプレート（１３２）に形成された前記開口部（１４６）の上方に配置されて位置合わせされた孔（１６８）を含む、請求項５に記載のシステム（１０）。
【請求項７】
前記ガバナハウジング（１６４）が、前記ロータ支持構造（１００）の前記スライドプレート（１３２）に結合され、前記スライドプレート（１３２）および前記軸受ハウジング（１４８）と共に前記頂部（１０６）の上に軸方向に移動するように構成される、請求項６に記載のシステム（１０）。
【請求項８】
前記ガバナハウジング（１６４）の前記孔（１６８）に結合され、前記ガバナハウジング（１６４）と共に軸方向に移動するように構成されるオイル排出パイプ（１７６）をさらに備える、請求項６に記載のシステム（１０）。
【請求項９】
前記ガバナハウジング（１６４）の前記孔（１６８）に結合された前記オイル排出パイプ（１７６）が、
前記スライドプレート（１３２）に形成された前記開口部（１４６）、および
前記剛性ベース構成要素（１０２）の前記頂部（１０６）の前記開口（１２８）を通って延びる、請求項１に記載のシステム（１０）。
【請求項１０】
前記シェル（２４）の一部（２６）が、前記複数の保持ブロック（１５６）の各々の周りに実質的に配置されて接触する、請求項１に記載のシステム（１０）。
【請求項１１】
前記複数の保持ブロック（１５６）の各々の前記可動保持ピン（１６２）が、
前記保持ブロック（１５６）の周りに実質的に配置された前記シェル（２４）の前記一部（２６）、および
前記保持ブロック（１５６）を通って延びる、請求項１０に記載のシステム（１０）。
【請求項１２】
前記剛性ベース構成要素（１０２）の前記頂部（１０６）が、前記複数の保持ブロック（１５６）の１つ（１５６Ａ）と位置合わせされ、前記保持ブロック（１５６）を実質的に囲む前記シェル（２４）の前記一部（２６）を受け入れるように構成されるスロット（１５８）を含む、請求項１に記載のシステム（１０）。
【請求項１３】
前記ロータ支持構造（１００）の前記軸受ハウジング（１４８）と流体連通し、前記軸受ハウジング（１４８）および前記スライドプレート（１３２）と共に軸方向に移動するように構成されるオイル供給パイプ（１７４）をさらに備える、請求項１に記載のシステム（１０）。
【請求項１４】
前記ロータ（２０）支持構造（１００）の前記スライドプレート（１３２）が、
前記スライドプレート（１３２）に固定された底部（１５０）と、
前記底部（１５０）に解放可能に結合された頂部（１５２）とを含む、請求項１に記載のシステム（１０）。
【発明の詳細な説明】
【技術分野】
【０００１】
本発明は、ロータ用の支持構造に関する。
【背景技術】
【０００２】
本開示は、一般に、支持構造に関し、より具体的には、産業機械のロータ用の支持構造に関する。
【０００３】
従来の動力またはタービンシステムでは、システムのロータは、典型的には、ロータの一方または両方の端部に隣接して、またはロータの一方または両方の端部で支持される。ロータは、システム内でロータを維持するのを助けるいくつかの構造またはハウジングによって支持することができる。具体的には、ロータの一部または端部は、タービンシステムの動作中にこれらの従来の構造またはハウジング内に配置され、支持することができる。さらに、これらの構造またはハウジングは、ロータがシステム内および構造またはハウジングで自由にスピンすることを可能にするように構成される。タービンシステムのロータおよび構造を支持して安定化するのを助けるために、従来の構造またはハウジングは、典型的には、タービンシステムのロータを囲む固定エンクロージャに結合される。
【０００４】
従来のタービンシステムの動作中、システムの構成要素または部品は加熱される。その結果、これらの構成要素の一部は熱膨張する。これらの構成要素の熱膨張を補償するために、タービンシステムの他の部分は、移動および／または屈曲するように設計されなければならない。たとえば、ロータおよび／またはロータを囲むエンクロージャの熱膨張を補償するために、ロータを支持する構造またはハウジングは、（たとえば、軸方向に）移動するように設計されてもよい。従来のシステムでは、ロータを支持する構造またはハウジングの移動は、典型的には、薄く柔軟な金属プレートによって形成された可撓性脚部によって制御され得る。可撓性脚部は、構造またはハウジングに固定され、構造またはハウジングを支持することができる。これらの可撓性脚部は、ロータを支持する構造またはハウジングが熱膨張するエンクロージャおよび／またはロータと共に移動することを可能にするように、曲げる、屈曲するおよび／または偏向することができる。
【０００５】
しかし、タービンシステム内の可撓性脚部の使用は、動作中に他の課題または問題を呈することがある。たとえば、タービンシステムのロータは、動作中に高速でスピンすることがある。可撓性脚部の柔軟特性、およびロータを支持する構造またはハウジングの結果として生じる移動のために、高速でスピンするロータはまた、高い振動を受けることがある。振動は、ロータの動作速度が増加するにつれて増加し得る。ロータの振動は、ロータおよび最終的にはタービンシステムの効率および／または動作性能を低下させる可能性がある。さらに、ロータの振動が増加するにつれて、可撓性脚部が励起され、最終的には振動またはフラッタリング（たとえば、高調波運動）を開始し得る。可撓性脚部のフラッタリングは、ロータの過度の振動のためにタービンシステムをしばしば「トリップ」させ、システムを停止させる。その結果、タービンシステムのトリップを回避するために、ロータは、フルスピード未満で動作することを要求されることがあり、これはタービンシステムが減少した容量で動作していることを意味する。さらに、可撓性脚部のサイズ、厚さおよび／または数の増加は、ロータの振動を低減するのに役立ち得るが、典型的には、タービンシステム内のクリアランス空間および／またはタービンシステムの様々な構成要素の熱膨張のために実現不可能である。
【発明の概要】
【０００６】
本開示の第１の態様は、ロータ用の支持構造を提供する。支持構造は、頂部を含む剛性ベース構成要素と、剛性ベース構成要素の頂部の上方に配置されたスライドプレートと、スライドプレートに結合されたロータ用の軸受ハウジングであって、軸受ハウジングおよびスライドプレートは、剛性ベース構成要素の頂部を摺動するように構成される軸受ハウジングと、軸受ハウジングに結合された複数の保持ブロックとを含み、複数の保持ブロックの各々は、複数の保持ブロックの各々を通して配置され、軸受ハウジングの通路に向かって半径方向に延びる可動保持ピンを含む。
【０００７】
本開示の第２の態様は、ロータと、ロータの少なくとも一部を囲むシェルと、シェルに結合され、ロータを受け入れるように構成されたロータ支持構造とを備え、ロータ支持構造は、頂部を含む剛性ベース構成要素と、剛性ベース構成要素の頂部の上方に配置されたスライドプレートと、スライドプレートに結合されたロータ用の軸受ハウジングであって、軸受ハウジングおよびスライドプレートは、剛性ベース構成要素の頂部を摺動するように構成される軸受ハウジングと、軸受ハウジングに結合された複数の保持ブロックとを含み、複数の保持ブロックの各々は、複数の保持ブロックの各々を通して配置され、軸受ハウジングの通路に向かって半径方向に延びる可動保持ピンを含む、システムを提供する。
【０００８】
本開示の例示的な態様は、本明細書に記載された問題および／または論じられていない他の問題を解決するように構成される。
【０００９】
本開示のこれらのおよび他の特徴は、本開示の様々な実施形態を示す添付の図面と併せて、本開示の様々な態様の以下の詳細な説明から、より容易に理解されよう。
【図面の簡単な説明】
【００１０】
【図１】実施形態による動力システムのタービンの概略図である。
【図２】実施形態による、図１の動力システムのロータ用のロータ支持構造の等角分解図である。
【図３】実施形態による、図２のロータ支持構造の等角正面図である。
【図４】実施形態による、図２のロータ支持構造の等角背面図である。
【図５】実施形態による、オイル供給および排出パイプを含む図２のロータ支持構造の等角背面図である。
【発明を実施するための形態】
【００１１】
本開示の図面は、原寸に比例して示されていないことに留意されたい。図面は、本開示の一般的な態様だけを示すためのものであり、したがって、本開示の範囲を限定するものと考えるべきではない。図面において、図面間で類似する番号は類似する要素を示している。
【００１２】
最初の問題として、本開示を明確に説明するために、動力システムの関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものは、単一の部品として他の場所で参照されてもよい。
【００１３】
さらに、本明細書ではいくつかの記述上の用語を定常的に使用する場合があり、この点についてこれらの用語を定義することが有用であることが証明されるはずである。これらの用語およびその定義は、別途記載のない限り、以下の通りである。本明細書で使用する場合、「下流」および「上流」とは、タービンエンジンを通る作動流体または、たとえば、流体経路を通る流体（たとえば、空気、蒸気など）の流れ、またはタービンの構成要素システムの１つを通る冷却剤のような流体の流れに対する方向を示す用語である。用語「下流」は、流体の流れの方向に相当し、用語「上流」は、流れの反対の方向を指す。用語「前方」および「後方」は、別途指定のない限り、方向を指し、「前方」はエンジンの正面、入口または圧縮機端部を指し、「後方」はエンジンの後部、排気部またはタービン端部を指す。さらに、「先導する」および「後続する」という用語は、それぞれ、「前方」および「後方」という用語と同様の記述で使用され、および／または理解され得る。多くの場合、異なる半径方向、軸方向および／または円周方向の位置にある部品を記述することが要求される。「Ａ」軸線は、軸方向を表す。本明細書で使用する場合、「軸方向の」および／または「軸方向に」という用語は、動力システム（特に、ロータ部）の回転軸と実質的に平行な軸線Ａに沿った物体の相対的な位置／方向を指す。さらに本明細書で使用する場合、「半径方向の」および／または「半径方向に」という用語は、軸線Ａと実質的に垂直でありかつただ１つの位置において軸線Ａと交差する軸線「Ｒ」（たとえば、図１）に沿った物体の相対的な位置／方向を指す。最後に、「円周方向の」という用語は、軸線Ａ（たとえば、軸線「Ｃ」）周りの移動または位置を指す。
【００１４】
上記のように、本開示は、一般に、支持構造に関し、より具体的には、産業機械のロータ用の支持構造に関する。
【００１５】
これらおよび他の実施形態は、図１〜図５を参照して以下に説明される。しかし、当業者であれば、これらの図に関して本明細書に与えられた詳細な説明は例示のためのものであり、限定するものとして解釈すべきではないことを容易に理解するであろう。
【００１６】
図１は、本明細書で使用され得る動力システム１０の一部の概略図を示す。動力システム１０は、動力システム１０のタービン構成要素１８（以下、「タービン１８」）を通って流れ、および／またはタービン１８によって受け入れられるように構成された作動流体１２（たとえば、空気、蒸気、燃焼ガスなど）を含むことができる。作動流体１２の流れは、典型的には、動力システム１０のロータ２０に結合された複数のタービンブレードまたはバケットおよびステータベーン（図示せず）を含む、タービン１８に供給される。作動流体１２は、タービン１８のタービンブレードを駆動し、次にロータ２０を回転させて機械的仕事を生成し、および／または動力システム１０の追加の構成要素を駆動する。タービン１８で生成された機械的仕事および／または動力システム１０のロータ２０の駆動（たとえば、回転）は、ロータ２０に結合された動力システム１０の外部構成要素２２を駆動することができる。動力システム１０の外部構成要素２２は、ポンプ、圧縮機、発電機などを含むことができるが、これらに限定されない。
【００１７】
動力システム１０はまた、ロータ支持構造１００（以下、「支持構造１００」）を含むことができる。図１に示すように、支持構造１００は、動力システム１０のタービン１８に隣接して配置されてもよい。より具体的には、支持構造１００は、タービン１８に隣接して、実質的に上流（仮想線で示される）および／または下流に配置され得る。本明細書で説明するように、支持構造１００は、タービン１８の少なくとも一部を実質的に囲むことができるエンクロージャまたはシェル２４に、解放可能に直接結合することができる。さらに、以下に詳細に説明するように、支持構造１００の一部（たとえば、軸受ハウジング）はまた、動作中に動力システム１０のロータ２０を受け入れるおよび／または支持するように構成することができる。
【００１８】
図２〜図４は、動力システム１０の支持構造１００の様々な図を示す。具体的には、図２は、支持構造１００の分解図を示し、図３は、支持構造１００の等角正面図を示し、図４は、支持構造１００の等角背面図を示す。図２〜図４に示され、以下に詳細に説明するように、支持構造１００は、動力システム１０の動作中に、動力システム１０のロータ２０を支持し、動力システム１０の構成要素（たとえば、ロータ２０、シェル２４）の熱膨張を補償することができるように構成され得る、および／または支持構造１００のロータ２０および構成要素（たとえば、軸受ハウジング）の振動を低減または排除することができる様々な構成要素および／または特徴部から形成することができる。ロータ２０は、明確化のために図２〜図４では省略され得る。
【００１９】
支持構造１００は、剛性ベース構成要素１０２を含むことができる。剛性ベース構成要素１０２は、支持構造１００の残りの構成要素を支持するように、および／または動力システム１０のロータ２０の支持を補助するように構成することができる（図１参照）。図２〜図４に示すように、剛性ベース構成要素１０２は、底部１０４と、底部１０４の反対側および／または上方に配置された頂部１０６と、それらの間に配置された支持ストラット１０８（以下、「ストラット１０８」）とを含むことができる。剛性ベース構成要素１０２の底部１０４は、複数の結合および／または固定機構１１０を含むことができる。非限定的な例では、固定機構１１０は、ボルト、ねじ、クリップ、ピンなどのような機械的締結具および結合構成要素を含むことができるが、これらに限定されない。非限定的な例では、底部１０４の固定機構１１０は、剛性ベース構成要素１０２、具体的には底部１０４を床インサート１１１（図３参照）に、動力システム１０の床に直接、または剛性ベース構成要素１０２に結合されてこれを支持することができる別の構成要素に結合および／または固定するように構成されてもよい。別の非限定的な例では、剛性ベース構成要素１０２の底部１０４は、任意の適切な結合技術（たとえば、溶接、ろう付けなど）を使用して床インサート１１１に恒久的に固定されてもよい。
【００２０】
図２〜図４に示すように、ストラット１０８は、底部１０４と頂部１０６との間に配置することができる。具体的には、ストラット１０８は、剛性ベース構成要素１０２の頂部１０６および頂部１０６に配置された支持構造１００の追加の構成要素を支持するために、それぞれ底部１０４と頂部１０６との間に配置され、それらに直接結合することができる。剛性ベース構成要素１０２のストラット１０８は、剛性ベース構成要素１０２に安定性および剛性を提供し、かつ／または動力システム１０の動作中に剛性ベース構成要素１０２が屈曲、振動および／または移動するのを防止するように形成、配置および／または配向されてもよい。図２〜図４に示す非限定的な例では、剛性ベース構成要素１０２は、底部１０４と頂部１０６との間に配置された複数のストラット１０８を含むことができ、複数のストラット１０８の１つは、支持構造１００のロータ端部１１２に隣接して配置され、複数のストラット１０８の第２のものは、ロータ端部１１２の反対側のガバナハウジング端部１１８に隣接して配置され、少なくとも１つの別個のストラット１０８は、２つの別個のストラット１０８の間に配置される。図２〜図４に示すように、ストラット１０８は、剛性ベース構成要素１０２の２つの側１２０，１２２の間を実質的に横切り、延び、または跨がることができる。さらに、クロスメンバー１２４が、剛性ベース構成要素１０２の各ストラット１０８に追加の支持、安定性および／または剛性を提供するために、各ストラット１０８の間に形成され、各ストラット１０８に結合されてもよい。ストラット１０８は、ストラット１０８内におよび／または各別個のストラット１０８の間に形成された様々な隙間１２６を含むことができる。以下で詳細に説明するように、これらの隙間１２６は、動力システム１０のパイプラインまたは流体システムのために剛性ベース構成要素１０２内に空間を提供することができる（図５参照）。
【００２１】
剛性ベース構成要素１０２の頂部１０６は、底部１０４の反対側および／または上方およびストラット１０８のそれぞれに配置されてもよい。本明細書で説明するように、頂部１０６は、支持構造１００の追加の構成要素を配置または支持するプラットフォームを提供し、および／または別個の構成要素を頂部１０６の上に軸方向に移動させることができる。図２に示すように、頂部１０６は、開口１２８を含むことができる。開口１２８は、剛性ベース構成要素１０２の頂部１０６を通して直接形成することができる。さらに、開口１２８の少なくとも一部は、剛性ベース構成要素１０２のストラット１０８によってまたはストラット１０８の間に形成された隙間１２６の上方に形成されてもよく、および／または隙間１２６と位置合わせされてもよい。以下で説明するように、ストラット１０８の間の隙間１２６と共に頂部１０６を通して形成された開口１２８は、動力システム１０のパイプラインまたは流体システムを受け入れるための剛性ベース構成要素１０２を通る通路を形成することができる。
【００２２】
剛性ベース構成要素１０２の大部分またはすべての部分は、実質的に剛性であり得る任意の適切な材料から形成することができる。具体的には、剛性ベース構成要素１０２の底部１０４、頂部１０６および／またはストラット１０８は、高い機械的安定性および／または剛性を含む材料から形成されてもよい。非限定的な例では、剛性ベース構成要素１０２の底部１０４、頂部１０６および／またはストラット１０８は、金属、金属合金、コンクリートなどから形成されてもよい。本明細書で説明するように、剛性ベース構成要素１０２は、動力システム１０の動作中に剛性ベース構成要素１０２が屈曲、振動および／または移動するのを防止するために、機械的に安定および／または剛性の材料から形成することができる。
【００２３】
支持構造１００はまた、複数のガイド１３０を含むことができる。複数のガイド１３０は、剛性ベース構成要素１０２の頂部１０６の両側１２０，１２２に配置され、頂部１０６の上方に延びることができる。図２〜図４に示す非限定的な例では、複数のガイド１３０は、剛性ベース構成要素１０２の頂部１０６から別々の構成要素として形成されてもよい。その結果、複数のガイド１３０は、これらに限定されないが、機械的締結、溶接、ろう付けなどを含む任意の適切な結合機構および／または技術を使用して、頂部１０６に結合または固定することができる。図示されていない別の非限定的な例では、複数のガイド１３０は、頂部１０６と一体化して形成されてもよく、支持構造１００の剛性ベース構成要素１０２の一部であってもよい。
【００２４】
図２〜図４に示す非限定的な例では、支持構造１００は、頂部１０６の各側１２０，１２２に配置された２つのガイド１３０を含むことができる。さらに、頂部１０６の各側１２０，１２２は、ロータ端部１１２に隣接して配置された第１のガイド１３０と、ガバナハウジング端部１１８に隣接して配置された第２のガイド１３０とをそれぞれ含むことができる。図に示すガイド１３０の数は、単なる例示であることが理解される。したがって、剛性支持構造１００は、本明細書に示され説明された数より多くのまたは少ないガイド１３０を含んでもよい。
【００２５】
図２〜図４に示すように、複数のガイド１３０の各々は、剛性ベース構成要素１０２の頂部１０６に配置され、頂部１０６の上方に延びることができる。本明細書で説明するように、複数のガイド１３０は、支持構造１００のスライドプレート１３２を剛性ベース構成要素１０２の上方に維持または保持する一方で、スライドプレート１３２を動力システム１０の動作中に頂部１０６の上に軸方向に移動させることができるように構成することができる（図１参照）。したがって、複数のガイド１３０は、スライドプレート１３２の少なくとも一部を受け入れるように形成、成形、配向および／または配置することができる。図２〜図４に示す非限定的な例では、各ガイド１３０は、実質的に「Ｌ字形」であり、頂部１０６の上方におよび／または頂部１０６に垂直に延びる第１の部分と、頂部１０６の上におよび／または頂部１０６に実質的に並行に延びる第２の部分とを有する。支持構造１００のガイド１３０の形状または幾何学的形状は、剛性ベース構成要素１０２の頂部１０６の上方にスライドプレート１３２を受け入れて維持または保持するためのチャネル１３４（図３および図４参照）を形成することができる。図３および図４に簡単に参照すると、頂部１０６の上に延びるガイド１３０の第２の部分はまた、スライドプレート１３２の一部の上に延び、スライドプレート１３２を頂部１０６の上方に維持または保持することができる。図に示すガイド１３０の形状または幾何学的形状は、単なる例示であることが理解される。したがって、剛性支持構造１００は、ガイド１３０が頂部１０６の上方にスライドプレート１３２を維持または保持する一方で、スライドプレート１３２を剛性ベース構成要素１０２の頂部１０６の上に軸方向に移動させることができるように構成される限り、本明細書に示され説明されたものとは異なる別個の形状または幾何学的形状を有するガイド１３０を含むことができる。
【００２６】
支持構造１００のスライドプレート１３２は、剛性ベース構成要素１０２の頂部１０６の上方に配置されてもよい。具体的には、スライドプレート１３２は、剛性ベース構成要素１０２の頂部１０６の上方に配置され、その上に配置され、かつ／または頂部１０６によって支持され得る。スライドプレート１３２の底面１３６（図２参照）は、動力システム１０（図１参照）の動作中に頂部１０６の頂面１３８（図２参照）に接触し、その上を摺動または移動するように構成することができる。スライドプレート１３２は、これらに限定されないが、金属、金属合金、セラミックなどを含む高い材料強度を有する実質的に剛性の材料から形成することができる。非限定的な例では、スライドプレート１３２はまた、実質的に低い摩擦係数を有する材料から形成されてもよく、スライドプレート１３２が剛性ベース構成要素１０２の頂部１０６の上を容易に移動および／または摺動することを可能にする。これに加えて、またはこれに代えて、剛性ベース構成要素１０２の頂部１０６は、実質的に低い摩擦係数を有する材料から形成され、かつ／またはこれによりコーティングされてもよく、スライドプレート１３２が剛性ベース構成要素１０２の頂部１０６の上を容易に移動および／または摺動することを可能にする。別の非限定的な例では、剛性ベース構成要素１０２のスライドプレート１３２および／または頂部１０６は、スライドプレート１３２の頂部１０６の上の移動を補助する追加の特徴部（たとえば、ローラ、軸受、インサート、ホイールなど）を含むことができる。
【００２７】
図２〜図４に示され、本明細書で説明するように、スライドプレート１３２は、複数のガイド１３０と摺動可能に係合することができる。すなわち、スライドプレート１３２は複数のガイド１３０と摺動可能に係合することができ、それによりガイド１３０は、制限なしで動力システム１０の動作中にスライドプレート１３２を軸方向に移動させることができる。さらに、ガイド１３０は、スライドプレート１３２を剛性ベース構成要素１０２に保持するためにスライドプレート１３２の一部に摺動可能に係合および／または接触してもよい。具体的には、複数のガイド１３０の各々の一部は、スライドプレート１３２の端部１４０，１４２の上方に配置され、および／または接触して、スライドプレート１３２が動力システム１０の動作中に剛性ベース構成要素１０２の頂部１０６から離れるように持ち上げられ、かつ／または離れるのを防止することができる。図２〜図４に示す非限定的な例では、スライドプレート１３２は、スライドプレート１３２の両端部１４０，１４２におよび／または両端部１４０，１４２に沿って形成された溝１４４を含むことができる。スライドプレート１３２に形成された溝１４４は、複数のガイド１３０の一部（たとえば、「Ｌ字形」の第２の部分）を受け入れる、および／または一部と摺動可能に係合することができる。スライドプレート１３２の端部１４０，１４２に沿って形成された溝１４４は、スライドプレート１３２が本明細書で説明するように剛性ベース構成要素１０２の頂部１０６に保持され、頂部１０６の上に軸方向に移動するスライドプレート１３２の能力を補助するようにすることができる。溝１４４が示されているが、他の特徴部または幾何学的形状を、動力システム１０の動作中にスライドプレート１３２の保持および／または摺動を補助するためにスライドプレート１３２に含めることができることが理解される。たとえば、スライドプレート１３２および複数のガイド１３０は、スライドプレート１３２が剛性ベース構成要素１０２に保持されながら軸方向に移動することを可能にする、各それぞれの部分に形成された雄−雌型特徴部を使用して嵌合することができる。
【００２８】
スライドプレート１３２はまた、開口部１４６を含むことができる。開口部１４６は、スライドプレート１３２を通して直接形成することができる。図２〜図４に示すように、スライドプレート１３２を通して形成された開口部１４６は、剛性ベース構成要素１０２の頂部１０６を通して形成された開口１２８と少なくとも部分的に位置合わせされ、上方に配置され得る。すなわち、スライドプレート１３２を通して形成された開口部１４６の少なくとも一部は、剛性ベース構成要素１０２のスライドプレート１３２および頂部１０６を通る通路を形成するように、頂部１０６の開口の上方に配置され、かつ／または（部分的に）位置合わせされ得る。したがって、開口部１４６および開口１２８を介してスライドプレート１３２および頂部１０６を通して形成された通路は、それぞれ剛性ベース構成要素１０２のストラット１０８の間の空間または隙間１２６にアクセスすることができる。頂部１０６の開口１２８およびストラット１０８の間の隙間１２６と共に、スライドプレート１３２を通して形成された開口部１４６は、本明細書で説明するように、動力システム１０のパイプラインまたは流体システムを受け入れるための剛性ベース構成要素１０２を通る通路を形成することができる。
【００２９】
図２に示す非限定的な例では、開口部１４６は、頂部１０６の開口１２８と同様または同一のサイズおよび／または寸法を含むことができる。さらに、非限定的な例では、スライドプレート１３２に形成された開口部１４６は、頂部１０６を通して形成された開口１２８と同様または同一の形状または幾何学的形状を含むことができる。図に示す開口部１４６のサイズおよび／または形状は、単なる例示である。したがって、開口部１４６および開口１２８が少なくとも部分的に位置合わせされ、動力システム１０のパイプラインまたは流体システムを受け入れるのに十分な大きさの通路を形成する限り、開口部１４６のサイズおよび／または形状は、開口１２８とは異なるものであってもよいことが理解される。さらに、本明細書で説明するように、スライドプレート１３２および頂部１０６を通って形成された通路は、動力システム１０の動作中にスライドプレート１３２の移動を補償するのに十分な大きさとすることができる。開口部１４６および開口１２８のサイズ、形状および／または整列によって決定される通路のサイズは、剛性ベース構成要素１０２のスライドプレート１３２および頂部１０６を通過することができるパイプラインまたは流体システムの動作が、動力システム１０の動作中に妨げられず、または中断されない（たとえば、挟まれる、外れる）ようにすることができる。すなわち、開口部１４６および開口１２８のサイズ、形状および／または整列によって決定される通路のサイズは、スライドプレート１３２が移動するときに、パイプラインまたは流体システムがスライドプレート１３２によって接触しない、および／または損傷しないようにするのに十分な大きさとすることができる。
【００３０】
支持構造１００はまた、軸受ハウジング１４８を含むことができる。図２〜図４に示すように、軸受ハウジング１４８は、スライドプレート１３２に結合することができる。すなわち、軸受ハウジング１４８は、スライドプレート１３２に結合され、スライドプレート１３２の上方に配置されてもよい。非限定的な例では、スライドプレート１３２および軸受ハウジング１４８は、これらに限定されないが、溶接、ろう付けおよび／または機械的締結を含む任意の適切な結合技術を使用して互いに恒久的に結合または固定されてもよい。軸受ハウジング１４８はまた、スライドプレート１３２を介して形成された開口部１４６から前方および／または正面にスライドプレート１３２に結合されてもよい。したがって、軸受ハウジング１４８は、スライドプレート１３２の開口部１４６のいずれの部分も覆わなくてよい。本明細書で説明するように、軸受ハウジング１４８は、動作中に動力システム１０のロータ２０を受け入れ、支持し、および／または回転させるように構成されてもよい。さらに、スライドプレート１３２に結合された結果として、軸受ハウジング１４８は、動力システム１０の動作中、スライドプレート１３２と共に剛性ベース構成要素１０２の頂部１０６の上に軸方向に移動するように構成されてもよい。
【００３１】
軸受ハウジング１４８は、別個のおよび／または別々の部分から形成されてもよい。すなわち、図２〜図４の非限定的な例に示すように、支持構造１００の軸受ハウジング１４８は、底部１５０および頂部１５２から形成することができる。軸受ハウジング１４８の底部１５０は、スライドプレート１３２に結合および／または固定されてもよい。軸受ハウジング１４８の頂部１５２は、底部１５０に解放可能に結合することができる。互いに結合されると、軸受ハウジング１４８の底部１５０および頂部１５２は、通路１５４を形成することができる。通路１５４内に配置されるおよび／または通路１５４を囲むことができるロータ軸受１５５は、動力システム１０のロータ２０を受け入れるように構成される。動作に先立ち、頂部１５２を底部１５０から除去して、ロータ２０を底部１５０および通路１５４の一部に配置させることができる。ロータ２０が底部１５０に配置され、かつ／または少なくとも部分的に支持されると、頂部１５２は底部１５０に解放可能に結合され、および／または動力システム１０の動作中に底部１５０に配置されたロータ２０の部分を囲んでロータ２０を軸受ハウジング１４８内に保持することができる。
【００３２】
支持構造１００はまた、複数の保持ブロック１５６を含むことができる。保持ブロック１５６は、軸受ハウジング１４８に結合することができる。具体的には、保持ブロック１５６は、軸受ハウジング１４８の底部１５０に解放可能に結合されてもよく、動力システム１０の動作中に軸受ハウジング１４８およびスライドプレート１３２と共に軸方向に移動するように構成されてもよい。本明細書で説明するように、動力システム１０のシェル２４（図５参照）は、複数の保持ブロック１５６の各々に解放可能に結合され、支持構造１００、具体的には軸受ハウジング１４８をシェル２４に結合することができる。図２に示す非限定的な例では、支持構造１００は、軸受ハウジング１４８に結合された３つの保持ブロック１５６を含むことができる。第１の保持ブロック１５６Ａは、軸受ハウジング１４８の底部１５０および頂部１５２によって形成された通路１５４の下に（半径方向に）配置されてもよい。２つの別個の保持ブロック１５６Ｂ，１５６Ｃは、第１の保持ブロック１５６Ａの上方に互いに対向して配置されてもよい。支持構造１００の２つの別個の保持ブロック１５６Ｂ，１５６Ｃはまた、軸受ハウジング１４８の底部１５０および頂部１５２によって形成された通路１５４の実質的に両側に配置されてもよく、および／または互いに半径方向に位置合わせされてもよい。図に示す保持ブロック１５６の数および／または位置は、単なる例示であることが理解される。したがって、支持構造１００は、本明細書に示され説明された数より多くのまたは少ない保持ブロック１５６を含むことができ、および／または保持ブロック１５６は、支持構造１００の軸受ハウジング１４８で様々な位置に配置または配向されてもよい。さらに、複数の保持ブロック１５６の各々の幾何学的形状および／または形状は、例示的であり、非限定的であると理解される。複数の保持ブロック１５６の各々の幾何学的形状および／または形状は、以下に詳細に説明するように、支持構造１００をシェル２４に結合するために保持ブロック１５６の周りに実質的に配置され得るシェル２４の開口部またはスロットに依存し得る。
【００３３】
図２および図３に示すように、複数の保持ブロック１５６の第１の保持ブロック１５６Ａは、軸受ハウジング１４８の大部分の下に半径方向に延びることができる。具体的には、第１の保持ブロック１５６Ａの一部は、軸受ハウジング１４８の底部１５０の大部分、スライドプレート１３２および／または剛性ベース構成要素１０２の頂部１０６の少なくとも一部の下に半径方向に延びることができる。図２に示す非限定的な例では、第１の保持ブロック１５６Ａの一部は、スライドプレート１３２および頂部１０６の下に半径方向に延び、頂部１０６は、各々スロット１５８を含むことができる。頂部１０６のスロット１５８は、剛性ベース構成要素１０２のロータ端部１１２で、第１の保持ブロック１５６Ａと軸方向および半径方向に整列して形成することができる。頂部１０６のスロット１５８は、第１の保持ブロック１５６Ａの一部および第１の保持ブロック１５６Ａに結合されたシェル２４の一部を受け入れるように構成することができる（図５参照）。すなわち、頂部１０６のスロット１５８は、軸受ハウジング１４８およびスライドプレート１３２が本明細書で説明するように動力システム１０の動作中にシェル２４の熱膨張を補償するために軸方向に移動すると、第１の保持ブロック１５６Ａの一部およびシェル２４の一部を受け入れることができる。頂部１０６にスロット１５８を形成することにより、軸受ハウジング１４８は、障害なくならびに／または第１の保持ブロック１５６Ａおよび／もしくはシェル２４が剛性ベース構成要素１０２の頂部１０６に接触することなく、スライドプレート１３２と共に軸方向に移動することができる。
【００３４】
複数の保持ブロック１５６は、支持構造１００、具体的には軸受ハウジング１４８をタービン１８のシェル２４に解放可能に結合するように構成することができる（図１参照）。複数の保持ブロック１５６の各々は、それらを通して形成された開口１６０（図２参照）と、可動保持ピン１６２とを含むことができる。可動保持ピン１６２は、複数の保持ブロック１５６の各々を通して形成された開口１６０を通して配置することができる。より具体的には、可動保持ピン１６２は、複数の保持ブロック１５６の各々の開口１６０を通って延び、ロータ２０を受け入れるように構成された軸受ハウジング１４８の通路１５４に向かって半径方向に延びることができる。本明細書で説明するように、可動保持ピン１６２は、保持ブロック１５６の開口１６０を通って、かつ各保持ブロック１５６の周りに配置される動力システム１０のシェル２４の一部を通して形成された開口部を通って摺動し、シェル２４を支持構造１００に解放可能に結合するように構成することができる。本明細書で説明するように、可動保持ピン１６２は、動力システム１０の動作中にシェル２４が熱膨張する結果として、複数の保持ブロック１５６および軸受ハウジング１４８内を移動することができる。
【００３５】
図２〜図４に示すように、動力システム１０のガバナハウジング１６４はまた、支持構造１００内に含まれてもよく、および／または支持構造１００に結合されてもよい。ガバナハウジング１６４は、支持構造１００の軸受ハウジング１４８および／またはスライドプレート１３２に結合されてもよい。具体的には、ガバナハウジング１６４は、軸受ハウジング１４８の底部１５０および／または頂部１５２の軸方向下流に配置されてもよく、および／またはそれらに解放可能に結合されてもよい。さらに、ガバナハウジング１６４は、スライドプレート１３２に解放可能に結合され、スライドプレート１３２の上方またはその上に配置されてもよい。軸受ハウジング１４８および／またはスライドプレート１３２に結合され、スライドプレート１３２の上方またはその上に配置される結果として、ガバナハウジング１６４は、動力システム１０の動作中に軸受ハウジング１４８およびスライドプレート１３２によって剛性ベース構成要素１０２の頂部１０６の上に軸方向に移動するように構成され得る。ガバナハウジング１６４は、通路１６６を介してガバナハウジング１６４内に受け入れられ、および／またはガバナハウジング１６４を通過することができる、ロータ２０の速度を測定および／または調整するように構成され得るガバナデバイス（図示せず）を含むことができる。
【００３６】
ガバナハウジング１６４はまた、孔１６８を含むことができる。孔１６８は、ガバナハウジング１６４の底部１７０を通して形成することができる（図２参照）。図２および図４に示すように、孔１６８はまた、底部１７０に隣接して配置されたガバナハウジング１６４の通路１６６の一部を通して形成されてもよい（図２参照）。ガバナハウジング１６４を通して形成された孔１６８は、支持構造１００のスライドプレート１３２を通して形成された開口部１４６と少なくとも部分的に位置合わせされてもよい。すなわち、ガバナハウジング１６４を通して形成された孔１６８の少なくとも一部は、スライドプレート１３２の開口部１４６の上方に配置され、かつ／または（部分的に）位置合わせされてもよい。さらに、孔１６８が開口部１４６と少なくとも部分的に位置合わせされた結果として、ガバナハウジング１６４の孔１６８はまた、剛性ベース構成要素１０２の頂部１０６を通して形成された開口１２８と少なくとも部分的に位置合わせすることができる。孔１６８、開口部１４６および開口１２８を位置合わせすることで、剛性ベース構成要素１０２の頂部１０６、スライドプレート１３２およびガバナハウジング１６４を通る通路を形成および／または維持することができる。本明細書で説明するように、頂部１０６、スライドプレート１３２およびガバナハウジング１６４の間および／またはそれらを通して形成された通路は、動力システム１０のパイプラインまたは流体システムのための空間を設けることができる。
【００３７】
図に示すガバナハウジング１６４を通して形成された孔１６８のサイズおよび／または形状は、単なる例示である。したがって、本明細書で説明するように孔１６８、開口部１４６および開口１２８が少なくとも部分的に位置合わせされ、動力システム１０のパイプラインまたは流体システムを受け入れるのに十分な大きさの通路を形成する限り、孔１６８のサイズおよび／または形状は、開口１２８および／または開口部１４６と同様または異なるものであってもよいことが理解される。さらに、本明細書で説明するように、ガバナハウジング１６４、スライドプレート１３２および頂部１０６を通って形成された通路は、動力システム１０の動作中にスライドプレート１３２およびガバナハウジング１６４の移動を補償するのに十分な大きさとすることができる。孔１６８、開口部１４６および開口１２８のサイズ、形状および／または整列によって決定される通路のサイズは、ガバナハウジング１６４へと剛性ベース構成要素１０２のスライドプレート１３２および頂部１０６を通過することができるパイプラインまたは流体システムの動作が、動力システム１０の動作中に妨げられず、または中断されない（たとえば、挟まれる、外れる）ようにすることができる。
【００３８】
図５を参照すると、動力システム１０のパイプラインまたは流体システムを含む、図２〜図４の支持構造１００の等角背面図が示されている。類似の符号を付したおよび／または名前をつけた構成要素は、実質的に類似の態様で機能し得ることが理解される。これらの構成要素の冗長な説明は、明確化のために省略している。
【００３９】
図５に示すように、支持構造１００は、軸受ハウジング１４８に配置され、かつ／または軸受ハウジング１４８に結合されたオイル入口１７２を含むことができる。オイル入口１７２は、軸受ハウジング１４８の通路１５４内に配置された通路１５４および／またはロータ軸受１５５（図２参照）に隣接して配置され、流体連通することができる。オイル供給パイプ１７４は、オイル入口１７２に結合され、支持構造１００のオイル入口１７２および／または軸受ハウジング１４８と流体連通することができる。オイル入口１７２に結合され、軸受ハウジング１４８と流体連通しているオイル供給パイプ１７４は、軸受ハウジング１４８の通路１５４および／またはロータ軸受１５５にオイルまたは潤滑剤を供給し、動力システム１０のロータ２０の回転を補助するように構成することができる。さらに、オイル入口１７２が軸受ハウジング１４８に配置され、オイル供給パイプ１７４がオイル入口１７２に結合されるので、オイル供給パイプ１７４は、本明細書で説明するように支持構造１００の軸受ハウジング１４８およびスライドプレート１３２と共に軸方向に移動するように構成することができる。オイル供給パイプ１７４は、これらに限定されないが、オイル入口１７２に直接結合された可撓性もしくは拡張性のパイプ継手、またはオイル入口１７２の下流および／または支持構造１００に配置された可撓性もしくは拡張性のパイプ継手を含む任意の適切な技術および／または構成要素を使用して、軸受ハウジング１４８と共に軸方向に移動するように構成されてもよい。
【００４０】
動力システム１０はまた、オイル排出パイプ１７６を含むことができる。図５に示すように、オイル排出パイプ１７６の大部分は、支持構造１００の軸受ハウジング１４８の下に配置することができる。さらに、オイル排出パイプ１７６は、剛性ベース構成要素１０２の隙間１２６を通過し、頂部１０６の開口１２８およびスライドプレート１３２の開口部１４６を通って延びることができる。すなわち、オイル排出パイプ１７６は、開口１２８および開口部１４６によって形成された通路内に配置されてもよく、および／または通路を通って延びてもよい。非限定的な例では、オイル排出パイプ１７６は、開口１２８および開口部１４６を通って半径方向に上方に延び、ガバナハウジング１６４の孔１６８と結合および／または流体連通することができる。ガバナハウジング１６４の孔１６８に結合されたオイル排出パイプ１７６は、本明細書で説明するように、オイル供給パイプ１７４を介して軸受ハウジング１４８に供給されて利用されるオイルまたは潤滑剤を受け入れるように構成され得る。
【００４１】
さらに、オイル排出パイプ１７６がガバナハウジング１６４の孔１６８に結合されるので、オイル排出パイプ１７６は、本明細書で説明するようにガバナハウジング１６４およびスライドプレート１３２と共に軸方向に移動するように構成することができる。オイル供給パイプ１７４と同様に、オイル排出パイプ１７６は、これらに限定されないが、ガバナハウジング１６４の孔１６８に直接結合された可撓性もしくは拡張性のパイプ継手、またはガバナハウジング１６４の下流および／または支持構造１００に配置された可撓性もしくは拡張性のパイプ継手を含む任意の適切な技術および／または構成要素を使用して、ガバナハウジング１６４およびスライドプレート１３２と共に軸方向に移動するように構成されてもよい。
【００４２】
開口１２８および開口部１４６によって形成された通路のサイズは、動力システム１０の動作中にスライドプレート１３２が頂部１０６の上に軸方向に移動するにつれて減少してもよい。その結果、オイル排出パイプ１７６が開口１２８および開口部１４６を通過するので、オイル排出パイプ１７６は、ガバナハウジング１６４およびスライドプレート１３２が頂部１０６の上に軸方向に移動するときにオイル排出パイプ１７６が頂部１０６に形成された開口１２８の側に接触するのを防止することができるサイズ、形状および／または幾何学的形状を有することができる。これは、スライドプレート１３２、軸受ハウジング１４８および／またはガバナハウジング１６４が動力システム１０の動作中に剛性ベース構成要素１０２の上に軸方向に移動するときに、これらの構成要素の障害および／または制限された移動を防止することができる。
【００４３】
図５に示し、本明細書で説明するように、支持構造１００は、タービン１８のシェル２４に結合されてもよい。具体的には、複数の保持ブロック１５６および／または可動保持ピン１６２は、支持構造１００の軸受ハウジング１４８に結合されてもよく、および／またはそれらをシェル２４に結合してもよい。図５に示す非限定的な例では、シェル２４の一部２６（１つを図示）は、各保持ブロック１５６（１つを図示、保持ブロック１５６Ｃ）の周りに実質的に配置され／各保持ブロック１５６を囲むことができ、および／または複数の保持ブロック１５６の各々に接触することができる。シェル２４の一部２６が複数の保持ブロック１５６の各々の周りに実質的に配置され、かつ／または接触すると、各保持ブロック１５６の保持ピン１６２は、それぞれ保持ブロック１５６および軸受ハウジング１４８にシェル２４を結合するために、シェル２４の一部２６および保持ブロック１５６を通して形成された開口１６０（図２参照）を通して配置され得る。保持ピン１６２がシェル２４の一部２６および保持ブロック１５６を通して配置された後、シェル２４は固定され、かつ／または動力システム１０（図１参照）内で軸方向に移動しないようにすることができる。
【００４４】
さらに、本明細書で説明するように、動力システム１０の動作中、動力システム１０の構成要素（たとえば、ロータ２０、シェル２４）は熱膨張し、支持構造１００はこの熱膨張を補償するように移動および／または調整することができる。たとえば、ロータ２０および／またはシェル２４がロータ２０（図１参照）の軸方向に熱膨張すると、スライドプレート１３２は、軸方向に移動し、かつ／または軸受ハウジング１４８、複数の保持ブロック１５６および／もしくはガバナハウジング１６４を同じく動力システム１０のこれらの熱膨張している構成要素と共に軸方向に移動させることができる。本明細書で説明するように、保持ピン１６２を使用してシェル２４の一部２６を保持ブロック１５６に結合することによって、保持ピン１６２および／または保持ブロック１５６は、シェル２４を軸方向にのみ移動させることができる。軸方向に移動することにより、および／または熱膨張しているシェル２４によって軸方向に移動するように構成されていることにより、保持ブロック１５６の可動保持ピン１６２は、保持ブロック１５６がシェル２４内の結合を維持し、最終的にシェル２４と支持構造１００との間の結合を維持することを可能にする。
【００４５】
本明細書では一般的な動力システムによって利用されるものとして説明したが、上述した支持構造は様々なシステムおよび／または機械によって使用され得ることが理解される。すなわち、本明細書に示され説明される支持構造は、蒸気タービンシステム、ガスタービンシステム、発電プラントまたは複合サイクルシステム（たとえば、ガスおよび蒸気タービンシステム）によって利用されてもよい。さらに、上述した支持構造は、ロータまたは回転シャフトを含む様々な産業機械またはシステム、および動作中に機械による熱生成のために熱膨張する可能性がある構成要素に利用することができる。
【００４６】
様々な実施形態において、互いに「流体結合された」または「流体連通する」と記載された構成要素は、１つまたは複数の界面に沿って接合することができる。いくつかの実施形態では、これらの界面は、異なる構成要素間の接合を含むことができ、他の場合では、これらの界面は、堅固におよび／または一体的に形成された相互接続を含むことができる。すなわち、場合によっては、互いに「結合された」構成要素を同時に形成して、単一の連続的な部材を画定することができる。しかし、他の実施形態では、これらの結合された構成要素は、別々の部材として形成することができ、公知のプロセス（たとえば、締結、超音波溶接、接着）により同時に接合することができる。
【００４７】
ある要素または層が、別の要素に対して「上に位置し」、「係合し」、「接続され」あるいは「結合し」ていると称される場合、他の要素に対して直接的に上に位置し、係合し、接続され、あるいは係合しても、介在の要素が存在してもよい。対照的に、ある要素が、別の要素に対して「直接的に上に位置し」、「直接的に係合し」、「直接的に接続され」あるいは「直接的に結合し」ていると称される場合、いかなる介在の要素または層も存在できないかもしれない。要素間の関係を記述するために使用される他の単語も同様なやり方（たとえば、「間に」対「直接間に」、「隣接する」対「直接隣接する」など）で解釈するべきである。本明細書において、用語「および／または」は、関連する列挙された項目のいずれかおよび１つもしくは複数のすべての組み合わせを含む。
【００４８】
本明細書で使用される専門用語は、単に特定の実施形態を説明するためのものに過ぎず、本開示を限定するものではない。本明細書で使用する場合、単数形「１つの（ａ）」、「１つの（ａｎ）」および「この（ｔｈｅ）」は、特に明示しない限り、複数形も含むことが意図される。「備える（ｃｏｍｐｒｉｓｅ）」および／または「備えている（ｃｏｍｐｒｉｓｉｎｇ）」という用語は、本明細書で使用される場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。「任意の」または「任意に」は、後で述べられる事象または状況が、起こる場合も起こらない場合もあることを意味し、この記述は、その事象が起こる事例と、起こらない事例とを含むことを意味する。
【００４９】
本明細書および特許請求の範囲を通してここで使用される、近似する文言は、関連する基本的機能に変化をもたらすことなく、差し支えない程度に変動できる任意の量的表現を修飾するために適用することができる。したがって、「およそ」、「約」および「実質的に」などの用語で修飾された値は、明記された厳密な値に限定されるものではない。少なくともいくつかの例では、近似する文言は、値を測定するための機器の精度に対応することができる。ここで、ならびに本明細書および特許請求の範囲を通して、範囲の限定は組み合わせおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値の＋／−１０％を示し得る。
【００５０】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図されていない。多くの修正および変形は、本開示の範囲および趣旨から逸脱することなく、当業者には明らかであろう。本実施形態は、本開示の原理および実際的な応用を最善に説明し、他の当業者が、意図する特定の用途に適した様々な修正を加えた様々な実施形態のため、本開示を理解できるように選択し、説明されたものである。
［実施態様１］
ロータ（２０）用の支持構造（１００）であって、
頂部（１０６）を含む剛性ベース構成要素（１０２）と、
前記剛性ベース構成要素（１０２）の前記頂部（１０６）の上方に配置されたスライドプレート（１３２）と、
前記スライドプレート（１３２）に結合された前記ロータ（２０）用の軸受ハウジング（１４８）であって、前記軸受ハウジング（１４８）および前記スライドプレート（１３２）は、前記剛性ベース構成要素（１０２）の前記頂部（１０６）を摺動するように構成される軸受ハウジング（１４８）と、
前記軸受ハウジング（１４８）に結合された複数の保持ブロック（１５６）とを備え、前記複数の保持ブロック（１５６）の各々は、
前記複数の保持ブロック（１５６）の各々を通して配置され、前記軸受ハウジング（１４８）の通路（１５４）に向かって半径方向に延びる可動保持ピン（１６２）を含む、支持構造（１００）。
［実施態様２］
前記剛性ベース構成要素（１０２）の前記頂部（１０６）の両側（１２０，１２２）に配置され、前記スライドプレート（１３２）と摺動可能に係合する複数のガイド（１３０）をさらに備える、実施態様１に記載の支持構造（１００）。
［実施態様３］
前記スライドプレート（１３２）が、前記スライドプレート（１３２）の両側に沿って形成され、前記複数のガイド（１３０）の少なくとも１つを受け入れて摺動可能に係合するように構成される溝（１４４）をさらに含む、実施態様２に記載の支持構造（１００）。
［実施態様４］
前記剛性ベース構成要素（１０２）の前記頂部（１０６）が、開口（１２８）を含む、実施態様１に記載の支持構造（１００）。
［実施態様５］
前記スライドプレート（１３２）が、前記剛性ベース構成要素（１０２）の前記頂部（１０６）の前記開口（１２８）と少なくとも部分的に位置合わせされた開口部（１４６）を含む、実施態様３に記載の支持構造（１００）。
［実施態様６］
前記剛性ベース構成要素（１０２）の前記頂部（１０６）が、前記複数の保持ブロック（１５６）の保持ブロック（１５６Ａ）と位置合わせされ、前記保持ブロック（１５６）に結合されたシェル（２４）の一部（２６）を受け入れるように構成されるスロット（１５８）を含む、実施態様１に記載の支持構造（１００）。
［実施態様７］
前記軸受ハウジング（１４８）が、
前記スライドプレート（１３２）に固定された底部（１５０）と、
前記底部（１５０）に解放可能に結合された頂部（１５２）とを含む、実施態様１に記載の支持構造（１００）。
［実施態様８］
ロータ（２０）と、
前記ロータ（２０）の少なくとも一部を囲むシェル（２４）と、
前記シェル（２４）に隣接して配置され、前記ロータ（２０）を受け入れるように構成されたロータ支持構造（１００）とを備え、前記ロータ支持構造（１００）は、
頂部（１０６）を含む剛性ベース構成要素（１０２）と、
前記剛性ベース構成要素（１０２）の前記頂部（１０６）の上方に配置されたスライドプレート（１３２）と、
前記スライドプレート（１３２）に結合された前記ロータ（２０）用の軸受ハウジング（１４８）であって、前記軸受ハウジング（１４８）および前記スライドプレート（１３２）は、前記剛性ベース構成要素（１０２）の前記頂部（１０６）を摺動するように構成される軸受ハウジング（１４８）と、
前記軸受ハウジング（１４８）に結合された複数の保持ブロック（１５６）とを含み、前記複数の保持ブロック（１５６）の各々は、
前記複数の保持ブロック（１５６）の各々を通して配置され、前記軸受ハウジング（１４８）の通路（１５４）に向かって半径方向に延びる可動保持ピン（１６２）を含む、システム（１０）。
［実施態様９］
前記ロータ支持構造（１００）が、前記剛性ベース構成要素（１０２）の前記頂部（１０６）の両側（１２０，１２２）に配置され、前記スライドプレート（１３２）と摺動可能に係合する複数のガイド（１３０）をさらに備える、実施態様８に記載のシステム（１０）。
［実施態様１０］
前記ロータ支持構造（１００）の前記スライドプレート（１３２）が、前記スライドプレート（１３２）の両側に沿って形成され、前記複数のガイド（１３０）の少なくとも１つを受け入れて摺動可能に係合するように構成される溝（１４４）をさらに含む、実施態様９に記載のシステム（１０）。
［実施態様１１］
前記剛性ベース構成要素（１０２）の前記頂部（１０６）が、開口（１２８）を含む、実施態様８に記載のシステム（１０）。
［実施態様１２］
前記スライドプレート（１３２）が、前記剛性ベース構成要素（１０２）の前記頂部（１０６）の前記開口（１２８）と少なくとも部分的に位置合わせされた開口部（１４６）を含む、実施態様１０に記載のシステム（１０）。
［実施態様１３］
前記ロータ支持構造（１００）の前記軸受ハウジング（１４８）に結合されたガバナハウジング（１６４）をさらに含み、前記ガバナハウジング（１６４）が、前記ロータ支持構造（１００）の前記スライドプレート（１３２）に形成された前記開口部（１４６）の上方に配置されて位置合わせされた孔（１６８）を含む、実施態様１１に記載のシステム（１０）。
［実施態様１４］
前記ガバナハウジング（１６４）が、前記ロータ支持構造（１００）の前記スライドプレート（１３２）に結合され、前記スライドプレート（１３２）および前記軸受ハウジング（１４８）と共に前記頂部（１０６）の上に軸方向に移動するように構成される、実施態様１２に記載のシステム（１０）。
［実施態様１５］
前記ガバナハウジング（１６４）の前記孔（１６８）に結合され、前記ガバナハウジング（１６４）と共に軸方向に移動するように構成されるオイル排出パイプ（１７６）をさらに備える、実施態様１２に記載のシステム（１０）。
［実施態様１６］
前記ガバナハウジング（１６４）の前記孔（１６８）に結合された前記オイル排出パイプ（１７６）が、
前記スライドプレート（１３２）に形成された前記開口部（１４６）、および
前記剛性ベース構成要素（１０２）の前記頂部（１０６）の前記開口（１２８）を通って延びる、実施態様１４に記載のシステム（１０）。
［実施態様１７］
前記シェル（２４）の一部（２６）が、前記複数の保持ブロック（１５６）の各々の周りに実質的に配置されて接触する、実施態様８に記載のシステム（１０）。
［実施態様１８］
前記複数の保持ブロック（１５６）の各々の前記可動保持ピン（１６２）が、
前記保持ブロック（１５６）の周りに実質的に配置された前記シェル（２４）の前記一部（２６）、および
前記保持ブロック（１５６）を通って延びる、実施態様１７に記載のシステム（１０）。
［実施態様１９］
前記剛性ベース構成要素（１０２）の前記頂部（１０６）が、前記複数の保持ブロック（１５６）の１つ（１５６Ａ）と位置合わせされ、前記保持ブロック（１５６）を実質的に囲む前記シェル（２４）の前記一部（２６）を受け入れるように構成されるスロット（１５８）を含む、実施態様８に記載のシステム（１０）。
［実施態様２０］
前記ロータ支持構造（１００）の前記軸受ハウジング（１４８）と流体連通し、前記軸受ハウジング（１４８）および前記スライドプレート（１３２）と共に軸方向に移動するように構成されるオイル供給パイプ（１７４）をさらに備える、実施態様８に記載のシステム（１０）。
【符号の説明】
【００５１】
１０  動力システム
１２  作動流体
１８  タービン構成要素、タービン
２０  ロータ
２２  外部構成要素
２４  シェル
２６  一部
１００  ロータ支持構造、剛性支持構造
１０２  剛性ベース構成要素
１０４  底部
１０６  頂部
１０８  支持ストラット
１１０  特徴部、固定機構
１１１  床インサート
１１２  ロータ端部
１１８  ガバナハウジング端部
１２０  側
１２２  側
１２４  クロスメンバー
１２６  隙間
１２８  開口
１３０  第１のガイド、第２のガイド
１３２  スライドプレート
１３４  チャネル
１３６  底面
１３８  頂面
１４０  端部
１４２  端部
１４４  溝
１４６  開口部
１４８  軸受ハウジング
１５０  底部
１５２  頂部
１５４  通路
１５５  ロータ軸受
１５６  複数の保持ブロック
１５６Ａ  第１の保持ブロック
１５６Ｂ  別個の保持ブロック
１５６Ｃ  別個の保持ブロック
１５８  スロット
１６０  開口
１６２  可動保持ピン
１６４  ガバナハウジング
１６６  通路
１６８  孔
１７０  底部
１７２  オイル入口
１７４  オイル供給パイプ
１７６  オイル排出パイプ
【図１】
2018091326.tif 000003
【図２】
2018091326.tif 000004
【図３】
2018091326.tif 000005
【図４】
2018091326.tif 000006
【図５】
2018091326.tif 000007
【外国語明細書】
2018091326000001.pdf